(57)【要約】【課題】大きなサイズの食品（果物や野菜を含む）を収容し、完全に切削できるジューサーミキサーを提供する。【解決手段】下から上に順に組み立てられる機械本体、下蓋、上蓋とより構成し、該機械本体内部には駆動モータを設けて該駆動モータ上部に設置される切削部を連動し、該切削部には回転盤を具有し、該回転盤上方には複数の歯を具有する突出部を設けることにより、切削された食品等を該回転盤周縁に向かって移動させ、更に該上蓋には上下に貫通するフィーディングホールを設け、底部に滑り止め層を設けた押し棒を挿入する個所を提供し、切削された食品等を該回転盤に伴って回転しないようにすることで該食品等が残留することなく完全に切削されるようにする。【選択図】        図１
0003104701.tif 000002
【実用新案登録請求の範囲】
【請求項１】
上から下へと順に組み立てられる機械本体、下蓋、上蓋とより構成されるジューサーミキサーにおいて、
上下が貫通して押し棒を挿入する個所を提供するフィーディングホールが設けられている該上蓋と、
蓋内部には収納空間が設けられている該下蓋と、
内部には駆動モータが設けられており、更に該駆動モータ上端には該駆動モータと同時に回転する切削部が上部に設置される結合部が設けられた該機械本体と、
を具有し、
該切削部は該下蓋の収容空間に収容され、且つ該回転部が設置されるが、切削後の食品等を該回転盤の周縁に向かって移動させるべく該回転部には、更に複数の歯が設けられた突出部が設けられ、また該押し棒においては回転盤の歯で切削しようとする食品等を固定すべく底部に滑り止め層が設けられていることを特徴とするジューサーミキサー。
【請求項２】
該回転盤上端の突出部は円弧形を呈していることを特徴とする請求項１記載のジューサーミキサー。
【請求項３】
該回転盤上端の突出部は略円錐形を呈していることを特徴とする請求項１記載のジューサーミキサー。
【請求項４】
該上蓋にはフィーディングルートが設けられており、該フィーディングルートの底部には環状研磨層が設けられており、該回転盤上端の外縁には更に研磨層が設けられており、該研磨層が該環状研磨層と共に研磨を行い、
更に該押し棒底部にスパイクが配列されていること、並びに該フィーディングホール周縁には複数の凸部を設けることにより、切削時の食品等が該回転盤と同時に回転するのを阻止することを特徴とする請求項１記載のジューサーミキサー。
【請求項５】
該切削部には濾過槽及び切削した際に生じる汁が下に漏れるのを防止する蓋部を具有し、該押し棒底部の滑り止め層は顆粒状を呈した粗い面であり、
且つ該押し棒には該上蓋のフィーディングホールの形状に対応するべく縦向きの切断面が設けられており、該押し棒が一定方向に移動できるようになっていることを特徴とする請求項１記載のジューサーミキサー。
【考案の詳細な説明】
【技術分野】
【０００１】
本考案はジューサーミキサーに係り、特に回転盤上に複数の歯を具有する突出部を設けることにより、切削後の食品や果物及び野菜を回転盤周囲に沿って迅速に移動させ、食品等をジュースとして絞る、或いは研磨する目的で使用されるジューサーミキサーに関わる。
【背景技術】
【０００２】
現代の人々は環境の汚染が進む中で暮らしており、それは人類の生存が脅かされるほどの有害物質などによる脅威であることから、近年では「体内の環境保護」が叫ばれており、そのためには無害有益な食品を飲食により摂取する方法が見直されている。
そこで汚染されていない新鮮な食品を細かく砕く、或いはジュースとすることで毎日摂取し易くする必要があるが、特に野菜や果物及び豆類を対象としたジューサーミキサーが既に開発されており、図１３に示すように公知の技術によるジューサーミキサーaでは上蓋a１上に貫通するフィーディングホールa２が設けられているものがある。該フィーディングホールa２の占める位置は回転盤a３の半分を超えておらず、果物等の食品が迅速に切削されるようになっている。
【考案の開示】
【考案が解決しようとする課題】
【０００３】
上述のような公知におけるジューサーミキサーにおける欠点として、内部の歯により直接切削できる食品等の大きさに制限があり、使用者は食品等をジューサーミキサーにかける前に適当な大きさに切る作業をしなければならず、時間を無駄にする、或いはこの作業により指を切ってしまう可能性もある。また中心から離れた個所に位置する回転盤の片側にて切削を行うことから回転盤の各位置の受ける力が偏ってしまい、モータの寿命にも悪影響を与えることにもなる。
ではこういった問題を解決するには上蓋のフィーディングホールを大きくし、中心点から離れるのを避けることが課題となるが、他にも図１４に示すように、食品のサイズが小さいときには回転盤bの高速回転により、食品が上下に跳ねて構造全体が振動してしまい、且つ該食品は該回転盤bと共に回転してしまって完全には切削されないといった問題もある。また図１５に示すように、食品等が大きな一つの塊であるとき、該食品は上蓋cのフィーディングホールc１を塞いでしまい、回転盤c２中央には歯は設置されておらず、つまり中心点に切削できない死角c３が生じて該死角c３の食品が遠心力によっても外縁へ至らず、こういった中心点における該食品の残留が多いほど使用者によって該食品を圧制しなければならない力が増えてしまうのであり、またモータの負担も大きくなってしまう。
そこで上述の欠点を克服するべく、大きなサイズの食品（果物や野菜を含む）をも収容し、完全に切削できる本考案のジューサーミキサーを提供する。
【課題を解決するための手段】
【０００４】
予め適当な大きさに切っておかなくとも直接絞ったり研磨ができ、且つ果物や野菜を含む食品を収容する空間を回転盤の中心に至るようにするべく、先ず回転盤上には複数の歯を具有する突出部を設けることにより、切削後の食品等が該回転盤の周縁に瞬時に至るようにし、該食品等が中心部に残留するのを避けて迅速に切削が完了するようにする。
また押し棒底部には滑り止め構造を設け、該回転盤が高速で回転する際に、切削しようとする食品等を固定することで切削を行いやすくする。
更に具体的には、本構造には機械本体と下蓋並びに上蓋を設け、該上蓋には上下に貫通するフィーディングホールを設置し、該下蓋内部には収容空間を設け、該機械本体内部には駆動モータを設け、該駆動モータの上端には結合部を設け、該結合部は上方に切削部を設けて該駆動モータと同時に回転するようにし、該切削部を該下蓋の収容空間内に収容する。該切削部には回転盤を設けるが、該回転盤上には複数の歯を具有する突出部を設け、切削後の食品等を瞬時に該回転盤周縁に至らしめ、該押し棒底部に設けた滑り止め層により、切削しようとする該食品が該回転盤に伴って回転するのを阻止し、該歯によって直接切削が行えるようにする。
【考案の効果】
【０００５】
本考案によると、フィーディングホールが回転盤の中心点に位置することで回転盤中心点に切削の死角が生ずる問題を克服し、野菜や果物を含む食品を予め小さく切っておかなくとも直接研磨したり、或いはジュースとして絞ったりすることができ加工時間の無駄が省かれたこと、並びに安全性が確保されたと同時に、回転盤上には複数の歯を具有する略円錐形を呈した突出部を設けたことにより、下向きの傾斜角が形成され、大きな塊の果物などを切削しようとする際にも回転盤の中心点に切削されなかった食品等が残留することがなくなり、迅速且つ確実に切削を行うことができるようになったこと、また押し棒底部に滑り止め層を設けたことでフィーディングホール内の食品等をしっかりと固定する目的が達成され、高速で回転中にも小さな果物等が固定されて回転盤と共に回ってしまうことが防止された等、実用性を大幅に高めることに成功した。
【考案を実施するための最良の形態】
【０００６】
図１から３に示すように、本考案のジューサーミキサー１には機械本体２と下蓋３、上蓋４及び滓収容ケース５が含まれる。該機械本体２と下蓋３と上蓋４は下殻上へと順に組み立てられるものとする。該上蓋４かほうにはフィーディングルート４１が設けられており、該フィーディングルート４１内部は上下が貫通したフィーディングホール４２が設けられており、押し棒６を挿入する個所を提供している。該押し棒６片側には縦方向切断面６１が設けられており、該フィーディングホール４２の形状に対応することで、該フィーディングホール４２内にて上下に移動できるようになっている。また該押し棒６底部には滑り止め層６２が設けられており、該滑り止め層６２には顆粒状の粗い面が設けられている、若しくはスパイクが配列されているものとする（図中無し）。該下蓋３内部においては収容空間３１が設けられており、該機械本体２内部には駆動モータ２１が設けられている。該駆動モータ２１の上端には結合部２２が設けられており、上方に切削部７が結合される個所を提供しており、該切削部７は該下蓋３の収容空間３１内に収容される。
【０００７】
上述の該切削部７には更に濾過槽７１、並びに切削時に生ずる液体が下方に漏れ出すのを防止する蓋部７２と回転盤７３が設けられており、該回転盤７３上部には突出部７４が設けられており、該突出部７４とは円弧形或いは略円錐形（図４，５参照）を呈しているものとする。更に該突出部７４上には複数の放射状に配列した歯７５が設けられており、且つ該歯７４の列が交錯する個所には歯７５は設けられないものとする。
【０００８】
図６に示すように、切削する食品や野菜、果物のサイズが小さい場合には、該切削部７の高速回転動力量により、回転盤７３上の突出部７４と回転盤７３平面とに下向きの傾斜が形成され、切削された食品等が力を受けた後、瞬時に該回転盤７３周縁に向かって移動する。該押し棒６底部に設けた滑り止め層６２が切削する食品等を固定し、該回転盤７３と共に回転するのが阻止され、該回転盤７３の歯７５で直接切削が行われる。また図７に示すように、該フィーディングホール周縁には複数の短凸部８が設けられ（本実施例中では数量を３つとしている）、これにより切削時の食品等に対し歯が直接当たるようになり、切削効果を高める目的を達成する。
【０００９】
図８から図１０に示すように、食品や野菜、果物のサイズが比較的おおきめな塊であり、且つ該上蓋４のフィーディングホール４２を完全に塞いでしまうほどである場合においても、該回転盤７３中心点には歯７５は設けられていないものの、切削の過程において該回転盤７３中心点に切削されなかった食品等が残留することは極稀であり、且つ該突出部７４に形成された下向きの傾斜角により、該押し棒６の押す力に頼らなくとも食品等が中心部より離れる。更に該押し棒により下向きに圧制される力を受けることで、該回転盤７３周縁に食品等が完全に移動し、スピーディーに切削を完了させる目的を達成する。
【００１０】
図１１，１２に示すように、本考案によるジューサーミキサー１の第二実施例として、該上蓋４のフィーディングルート９１底部には環状研磨層９２を設けており、また９３上端の外縁には更に研磨層９４を設けており、該研磨層９４と環状研磨層９２とを合わせることにより、食品等の切削と研磨作業を同時に行う。
【図面の簡単な説明】
【００１１】
【図１】本考案における第一実施例の立体分解図である。
【図２】本考案における第一実施例の組み立て後の断面図である。
【図３】本考案における第一実施例の切削部の立体外観図である。
【図４】本考案における第一実施例の回転盤の断面図である。
【図５】本考案における第一実施例の回転盤のもう一つの形態を示す断面図である。
【図６】本考案における第一実施例により、サイズの小さな果物等を切削する状態を示す図である。
【図７】本考案における第一実施例のフィーディングホールに複数の短凸部を設けた様子を示す俯瞰図である。
【図８】本考案における第一実施例により、サイズの大きな果物等を切削する前の状態を示す図である。
【図９】本考案における第一実施例により、サイズの大きな果物を切削している状態を示す図である。
【図１０】図９の局部拡大図である。
【図１１】本考案における第二実施例の切削部の立体外観図である。
【図１２】本考案における台に実施例の使用状態を示す図である。
【図１３】公知の構造によるジューサーミキサーの応用例を示す断面図である。
【図１４】公知の構造によるジューサーミキサーがサイズの小さい果物等を切削する様子を示す図である。
【図１５】公知の構造によるジューサーミキサーがサイズの大きな果物等を切削する様子を示す図である。
【符号の説明】
【００１２】
a  公知の技術によるジューサーミキサー
a１，c  上蓋
a２，c１  フィーディングホール
a３，b，c２  回転盤
c３  切削死角
１  本考案のジューサーミキサー
２  機械本体
２１  駆動モータ
２２  結合部
３  下蓋
３１  収容空間
４，９  上蓋
４１，９１  フィーディングルート
４２  フィーディングホール
５  滓収容ケース
６  押し棒
６１  縦方向切断面
６２  滑り止め層
７  切削部
７１  濾過槽
７２  蓋部
７３  回転盤
７４  突出部
７５  歯
８  短凸部
９２  環状研磨層  
９３  回転盤
９４  研磨層
【図１】
0003104701.tif 000003
【図２】
0003104701.tif 000004
【図３】
0003104701.tif 000005
【図４】
0003104701.tif 000006
【図５】
0003104701.tif 000007
【図６】
0003104701.tif 000008
【図７】
0003104701.tif 000009
【図８】
0003104701.tif 000010
【図９】
0003104701.tif 000011
【図１０】
0003104701.tif 000012
【図１１】
0003104701.tif 000013
【図１２】
0003104701.tif 000014
【図１３】
0003104701.tif 000015
【図１４】
0003104701.tif 000016
【図１５】
0003104701.tif 000017